(57)【要約】【課題】コンデンサ６のチャージ時間をより短くすることを目的とする。【解決手段】活性挿抜機器本体１に電源装置２を接続する時のコネクタ３，５の接点の保護用のコンデンサ６に出力電流制限回路１０及びこのコネクタ３を介してチャージ電流を供給するようにした活性挿抜機器において、この出力電流制限回路１０の出力電流を初期状態でオフとすると共にこのコネクタ３をこの活性挿抜機器本体１に接続したときにオンするようにしたものである。【選択図】        図１
2004248352.tif 000002
【特許請求の範囲】
【請求項１】
活性挿抜機器本体に電源装置又は、活性挿抜機器本体の負荷ボードを活性状態で接続する時、コネクタの接点の保護等のため、負荷ボードのコンデンサに出力電流制限回路及び前記コネクタを介してチャージ電流を供給するようにした活性挿抜機器において、
前記出力電流制限回路の出力電流を初期状態でオフとすると共に前記コネクタを前記活性挿抜機器本体に接続したときにオンするようにしたことを特徴とする活性挿抜機器。
【請求項２】
請求項１記載の活性挿抜機器において、
前記出力電流制限回路のオンは前記コネクタが所定のインピーダンスに接続することによりなされることを特徴とする活性挿抜機器。
【発明の詳細な説明】
【０００１】
【発明の属する技術分野】
本発明は、例えば通信機器等に適用して好適な活性挿抜機器に関する。
【０００２】
【従来の技術】
一般に、活性挿抜機器例えば通信機器等においては電源装置が複数個例えば３個接続できる如くなされ、この３個の電源装置を並列に使用するようにし、この通信機器が動作中においても３個の電源装置の内の例えば１個の電源装置を交換できるようになされている。
【０００３】
斯る通信機器本体等の活性挿抜機器本体に電源装置を接続するのにコネクタを介して接続するのであるが、この活性挿抜機器本体の負荷ボードのコネクタと電源装置のコネクタとを接続したときには接続時急激な電流が流れる。この急激な電流を制限するため通常抵抗体又は出力電流制限回路を使用する。
【０００４】
この急激な電流の電流制限を抵抗体で行った場合、この急激な電流の電流ピークはこの抵抗体の抵抗値分の出力電圧で必ず制限されるが、活性挿抜機器本体側に設けたこのコネクタの接点の保護用等のコンデンサのチャージが進につれて、充電電流が小さくなるため、例えばこのコネクタ等の制約でピーク電流値を決めたときにはこのコンデンサのチャージに時間が長くかかってしまう。
【０００５】
この為、従来この電流制限に図３に示す如き出力電流制限回路を設けるようにしたものが提案されている。
【０００６】
図３につき説明するに、図３において、１は通信機器本体等の活性挿抜機器本体を示し、２は電源装置を示す。図３において２ａは正の直流電圧が供給される一方の電源入力端子を示し、２ｂは大地電圧が供給される他方の電源入力端子を示す。
【０００７】
この一方の電源入力端子２ａをコネクタ３の主出力接点３ａに接続し、またこの一方の電源入力端子２ａを出力電流制限回路４を構成する電流検出用の抵抗器４ａを介してｎ型電界効果トランジスタ４ｂのドレインに接続し、この電界効果トランジスタ４ｂのソースをコネクタ３の一方の接点３ｂに接続する。
【０００８】
また、この一方の電源入力端子２ａをｐｎｐ型トランジスタ４ｃのエミッタに接続し、このトランジスタ４ｃのコレクタを電界効果トランジスタ４ｂのゲートに接続し、この電界効果トランジスタ４ｂのゲートを抵抗器４ｄを介して他方の電源入力端子２ｂに接続し、トランジスタ４ｃのベースを抵抗器４ａ及び電界効果トランジスタ４ｂのドレインの接続中点に接続し、またこの他方の電源入力端子２ｂをコネクタ３の他方の接点３ｃに接続する。
【０００９】
この出力電流制限回路４は抵抗器４ａにより電界効果トランジスタ４ｂを流れる電流が設定した電流制限値以上を検出したときにトランジスタ４ｃをオンし、電界効果トランジスタ４ｂをオフして電流を制限する如くしている。
【００１０】
また、５は活性挿抜機器本体１のコネクタを示し、５ａはこのコネクタ５の主入力接点、５ｂは一方の接点、５ｃは他方の接点であり、このコネクタ５はコネクタ３に接続する如くなされ、コネクタ５がコネクタ３に接続されたときは主入力接点５ａ及び主出力接点３ａが接続され、一方の接点５ｂ及び３ｂが接続され、他方の接点５ｃ及び３ｃが接続される。
【００１１】
また本例では、主入力接点５ａを接点５ｂ，５ｃの長さより短く構成し、接点５ｂ，５ｃが接点３ｂ，３ｃに接続した後に主入力接点５ａが主出力接点３ａに接続される如くなす。
【００１２】
またこのコネクタ５の主入力接点５ａを一方の接点５ｂに接続し、この一方の接点５ｂをコネクタ３，５の接点３ａ，３ｂ，３ｃ，５ａ，５ｂ，５ｃの接点の保護、主入力電圧の降下の抑制等を行うコンデンサ６を介して他方の接点５ｃに接続する。
【００１３】
このコネクタ５の主入力接点５ａ及び一方の接点５ｂの接続点を正の直流電圧を出力する一方の電源出力端子１ａに接続すると共に他方の接点５ｃを大地の電圧を出力する他方の電源出力端子１ｂに接続する。
【００１４】
斯る図３に示す如き活性挿抜機器においては、電源装置２のコネクタ３を活性挿抜機器本体１のコネクタ５に接続するときには、まず一方の接点３ｂ及び５ｂと他方の接点３ｃ及び５ｃとが接続されコンデンサ６をチャージし、その後主出力接点３ａ及び主入力接点５ａが接続される。
【００１５】
この場合、電界効果トランジスタ４ｂを流れる出力電流が抵抗器４ａにより検出され、電流制限値以上となったときにトランジスタ４ｃがオンし電界効果トランジスタ４ｂをオフし、出力電流の制限を行う。
【００１６】
【発明が解決しようとする課題】
然しながら、斯る図３に示す如き従来例においても、コンデンサ６をチャージするチャージ電流は図４Ａに示す如くチャージ開始時にオーバーシュートしてしまう。このオーバーシュート電流をコネクタ３，５等で制限される電流制限値以下に抑えた場合、実際のチャージ電流は図４Ａに示す如くオーバーシュート電流分少なくなってしまい、このコンデンサ６をチャージする時間が長くなってしまう不都合がある。このコンデンサ６のチャージ電圧特性を図４Ｂに示す。
【００１７】
本発明は、斯る点に鑑みこのコンデンサ６のチャージ時間をより短くすることを目的とする。
【００１８】
【課題を解決するための手段】
本発明活性挿抜機器は活性挿抜機器本体に電源装置又は、活性挿抜機器本体の負荷ボードを活性状態で接続する時、コネクタの接点の保護等のため、負荷ボードのコンデンサに出力電流制限回路及びこのコネクタを介してチャージ電流を供給するようにした活性挿抜機器において、この出力電流制限回路の出力電流を初期状態でオフとすると共にこのコネクタをこの活性挿抜機器本体に接続したときにオンするようにしたものである。
【００１９】
斯る本発明によれば出力電流制限回路の出力電流を初期状態でオフとすると共にコネクタを活性挿抜機器本体に接続したときにオンするようにしたので、図２Ａに示す如く、コンデンサのチャージ開始時にオーバーシュートは生ぜず、オーバーシュート電流分を考慮することなくこの出力電流制限回路の電流制限値による充電電流で充電でき、このコンデンサのチャージ時間をより短くすることができる。
【００２０】
【発明の実施の形態】
以下図１、図２を参照して本発明活性挿抜機器の実施の形態の例につき説明する。図１において、図３に対応する部分には同一符号を付して示す。
【００２１】
図１において、１は通信機器本体等の活性挿抜機器本体を示し、この活性挿抜機器本体１は例えば３個の電源装置２が接続できる如くなされ、この３個の電源装置を並列に使用するようにし、この活性挿抜機器本体１が動作中においても、この３個の電源装置２の内の例えば１個の電源装置２を交換できるようになされている。図１においては、この３個の電源装置２の内の１個の接続部を示し、他の２個も同様に接続されるものとする。
【００２２】
図１において２ａは正の直流電圧が供給される一方の電源入力端子を示し、２ｂは大地電圧が供給される他方の電源入力端子を示す。
【００２３】
この一方の電源入力端子２ａをこの電源装置２のコネクタ３の主出力接点３ａに接続し、またこの一方の電源入力端子２ａを出力電流制限回路１０を構成する電流検出用の抵抗器１０ａを介してｎ型電界効果トランジスタ１０ｂのドレインに接続し、この電界効果トランジスタ１０ｂのソースをコネクタ３の一方の接点３ｂに接続する。
【００２４】
また、この一方の電源入力端子２ａをｐｎｐ型トランジスタ１０ｃのエミッタに接続し、このトランジスタ１０ｃのコレクタを電界効果トランジスタ１０ｂのゲートに接続し、この電界効果トランジスタ１０ｂのゲートを抵抗器１０ｄを介してｎｐｎ型トランジスタ１０ｅのコレクタに接続し、このトランジスタ１０ｅのエミッタを他方の電源入力端子２ｂに接続し、トランジスタ１０ｃのベースを抵抗器１０ａ及び電界効果トランジスタ１０ｂのドレインの接続中点に接続し、またこの他方の電源入力端子２ｂをコネクタ３の他方の接点３ｃに接続する。
【００２５】
本例においては、この一方の電源入力端子２ａをｐｎｐ型トランジスタ１０ｆのエミッタに接続し、このトランジスタ１０ｆのコレクタをトランジスタ１０ｅのベースに接続し、このトランジスタ１０ｆのベースを抵抗器１０ｇを介して電界効果トランジスタ１０ｂのソースに接続する。
【００２６】
この出力電流制限回路１０は初期状態即ちコネクタ３が接続されていないときは、電界効果トランジスタ１０ｂ、トランジスタ１０ｅ及び１０ｆは全てオフであり、電界効果トランジスタ１０ｂを流れる出力電流はオフである。
【００２７】
またこの出力電流制限回路１０は抵抗器１０ａにより電界効果トランジスタ１０ｂを流れる電流が設定した電流制限値以上を検出したときはトランジスタ１０ｃをオンし電界効果トランジスタ１０ｂをオフして電流を制限する如くする。
【００２８】
また、５は活性挿抜機器本体１の負荷ボードのコネクタを示し、５ａはこのコネクタ５の主入力接点、５ｂは一方の接点、５ｃは他方の接点であり、このコネクタ５は電源装置２のコネクタ３に接続する如くなされたもので、コネクタ５がコネクタ３に接続されたときは、主入力接点５ａ及び主出力接点３ａが接続され、一方接点５ｂ及び３ｂが接続され、他方の接点５ｃ及び３ｃが接続される。
【００２９】
また本例では主入力接点５ａを接点５ｂ，５ｃの長さより短く構成し、接点５ｂ，５ｃが接点３ｂ，３ｃに接続した後に主入力接点５ａが主出力接点３ａに接続される如くなす。
【００３０】
また、このコネクタ５の主入力接点５ａを一方の接点５ｂに接続し、この一方の接点５ｂをコネクタ３，５の接点３ａ，３ｂ，３ｃ，５ａ，５ｂ，５ｃの接点の保護、主入力電圧の降下の抑制等を行うコンデンサ６を介して他方の接点５ｃに接続する。
【００３１】
このコネクタ５の主入力接点５ａ及び一方の接点５ｂの接続点を正の直流電圧を出力する一方の電源出力端子１ａに接続すると共に他方の接点５ｃを大地電圧を出力する他方の電源出力端子１ｂに接続する。
【００３２】
本例による活性挿抜機器においては、電源装置２のコネクタ３を活性挿抜機器本体１のコネクタ５に接続する前即ち初期状態においては、電界効果トランジスタ１０ｂ、トランジスタ１０ｅ及び１０ｆは全てオフであり、電界効果トランジスタ１０ｂを流れる出力電流は無くオフである。
【００３３】
次にこの電源装置２のコネクタ３と活性挿抜機器本体１のコネクタ５とを接続するときは、まず一方の接点３ｂ及び５ｂと他方の接点３ｃ及び５ｃとが接続され、電源装置２のコネクタ３の一方の接点３ｂ及び他方の接点３ｃ間に活性挿抜機器本体１の所定のインピーダンスが接続されたときは、トランジスタ１０ｆのベースが所定のインピーダンスを介して接地されたことになりこのトランジスタ１０ｆがオンし、これによりトランジスタ１０ｅをオンし、このトランジスタ１０ｅのオンにより電界効果トランジスタ１０ｂがオンしこの電界効果トランジスタ１０ｂを介して出力電流が流れ、コンデンサ６をチャージし、その後主出力接点３ａ及び主入力接点５ａが接続され、この電源装置２より活性挿抜機器本体１に直流電源を供給する。
【００３４】
この場合、本例によれば出力電流制限回路１０の出力電流を初期状態でオフとすると共に電源装置２のコネクタ３を活性挿抜機器本体１のコネクタ５に接続したときにオンとする如くしたので、図２Ａに示す如く、コンデンサ６のチャージ開始時にオーバーシュートは生ぜず、このオーバーシュートを考慮することなくこの出力電流制限回路１０の電流制限値の充電電流でチャージでき、このコンデンサ６のチャージ時間をより短くすることができる。
【００３５】
またこのコンデンサ６のチャージ時にオーバーシュートがないので、チャージ時に発生するノイズが軽減できる。
【００３６】
またこのコンデンサ６のチャージ時の電圧特性を図２Ｂに示す。
【００３７】
尚、上述例は活性挿抜機器本体に電源装置を接続する場合につき述べたが本発明はこの活性挿抜機器本体の負荷ボードを活性状態で接続する場合に適用できる。また本発明は上述例に限ることなく本発明の要旨を逸脱することなくその他種々の構成が採り得ることは勿論である。
【００３８】
【発明の効果】
本発明によれば出力電流制限回路の出力電流を初期状態でオフとすると共に電源装置のコネクタを活性挿抜機器本体のコネクタに接続したときにオンとする如くしたので、コンデンサのチャージ開始時にオーバーシュートは生ぜず、このオーバーシュートを考慮することなくこの出力電流制限回路の電流制限値の充電電流でチャージでき、このコンデンサのチャージ時間をより短くすることができる。
【００３９】
また本発明によればコンデンサのチャージ時にオーバーシュートがないので、チャージ時に発生するノイズが軽減できる。
【図面の簡単な説明】
【図１】本発明活性挿抜機器の実施の形態の例を示す構成図である。
【図２】図１の説明に供する線図である。
【図３】従来の活性挿抜機器の例を示す構成図である。
【図４】図３の説明に供する線図である。
【符号の説明】
１‥‥活性挿抜機器本体、２‥‥電源装置、３，５‥‥コネクタ、６‥‥コンデンサ、１０‥‥出力電流制限回路
【図１】
2004248352.tif 000003
【図２】
2004248352.tif 000004
【図３】
2004248352.tif 000005
【図４】
2004248352.tif 000006